(57)【要約】【課題】装着性の良好な画像観察用眼鏡を提供する。【解決手段】画像観察用眼鏡１は、画像観察部を保持する枠部２２と、画像観察用眼鏡１を装着する装着者の側頭部に沿う一対のテンプル４と、枠部２２とテンプル４との間に配置され、テンプル４を軸支する調整機構３と、を備え、調整機構３は、テンプル４に設けられ、テンプル４の回転中心周りに沿って形成された歯部７１を有する調整ギア７と、歯部７１に噛合してテンプル４の回転を規制する規制状態、および規制状態が解除された被規制状態が切り替え可能な切替部６１と、を備えている。【選択図】図２
2012252295.tif 000002
【特許請求の範囲】
【請求項１】
画像を観察する画像観察部を備えた画像観察用眼鏡であって、
前記画像観察部を保持する枠部と、
一対のテンプルと、
前記枠部と前記テンプルとの間に配置され、前記テンプルを軸支する調整機構と、
を備え、
前記調整機構は、
前記調整機構および前記テンプルのいずれか一方に設けられ、前記テンプルの回転中心周りに沿って形成された歯部を有する調整ギアと、
前記歯部に噛合して前記テンプルの回転を規制する規制状態、および前記規制状態が解除された被規制状態が切り替え可能な切替部と、
を備えていることを特徴とする画像観察用眼鏡。
【請求項２】
請求項１に記載の画像観察用眼鏡であって、
前記調整機構は、
前記切替部を付勢する付勢部を備え、
前記切替部は、前記付勢部の付勢力による前記規制状態と、前記付勢力に抗する力による前記被規制状態とが切り替え可能に構成されていることを特徴とする画像観察用眼鏡。
【請求項３】
請求項１に記載の画像観察用眼鏡であって、
前記切替部は、外部から前記テンプルへの押圧力が所定の値以下の場合においては前記規制状態を維持し、前記押圧力を超える前記テンプルへの操作力により、前記規制状態から前記被規制状態への切り替えが可能な弾性を有していることを特徴とする画像観察用眼鏡。
【請求項４】
請求項１〜請求項３のいずれか一項に記載の画像観察用眼鏡であって、
前記調整機構は、前記テンプルを軸支し、前記枠部に連結される連結部を有し、
前記切替部は、前記連結部に収納され、
前記調整ギアは、前記テンプルに設けられていることを特徴とする画像観察用眼鏡。
【請求項５】
請求項４に記載の画像観察用眼鏡であって、
前記連結部は、前記枠部に対して回転自在に軸支されていることを特徴とする画像観察用眼鏡。
【請求項６】
請求項１〜請求項５のいずれか一項に記載の画像観察用眼鏡であって、
前記切替部に噛合する前記歯部に対応して露出する標記部を備えていることを特徴とする画像観察用眼鏡。
【発明の詳細な説明】
【技術分野】
【０００１】
本発明は、スクリーンやディスプレイに表示される画像を観察するための画像観察用眼鏡に関する。
【背景技術】
【０００２】
近年、スクリーンやディスプレイに表示される画像を、専用の眼鏡を用いることで観察者に３次元画像として認識させたり、ディスプレイに表示される２つの画像のうち一方の画像を選択して観察させたりする技術が提案されている（例えば、特許文献１参照）。
【０００３】
特許文献１に記載の眼鏡（眼鏡装置）は、フレーム部および一対の柄を備えている。フレーム部には、眼鏡を装着する装着者の左右の眼の前方に位置する液晶シャッターや偏光フィルターが設けられている。一対の柄は、フレームの両端にそれぞれ連結されている。そして、この眼鏡は、一対の柄が使用者の頭部を挟持するように装着される。
【先行技術文献】
【特許文献】
【０００４】
【特許文献１】特開平１０−２４３４２０号公報
【発明の概要】
【発明が解決しようとする課題】
【０００５】
しかしながら、特許文献１に記載の眼鏡は、使用者の様々な頭部寸法に対応するように構成されていないため、眼鏡の装着者によっては、一対の柄によって頭部が圧迫されて不快に感じたり、緩くて眼鏡の位置がずれて画像を適切に観察できなかったりする恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像観察用眼鏡は、画像を観察する画像観察部を備えた画像観察用眼鏡であって、前記画像観察部を保持する枠部と、一対のテンプルと、前記枠部と前記テンプルとの間に配置され、前記テンプルを軸支する調整機構と、を備え、前記調整機構は、前記調整機構および前記テンプルのいずれか一方に設けられ、前記テンプルの回転中心周りに沿って形成された歯部を有する調整ギアと、前記歯部に噛合して前記テンプルの回転を規制する規制状態、および前記規制状態が解除された被規制状態が切り替え可能な切替部と、を備えていることを特徴とする。
【０００８】
この構成によれば、画像観察用眼鏡は、テンプルを回転可能に軸支する調整機構を備え、調整機構には、歯部を有する調整ギア、および切替部が設けられている。そして、切替部は、歯部に噛合してテンプルの回転を規制する規制状態、および被規制状態が切り替え可能に構成されている。これによって、切替部を歯部に噛合させることで、枠部に対するテンプルの回転角を変えること、つまり、一対のテンプル間の距離を調整することができる。よって、装着者は、頭部のサイズに合うように一対のテンプル間の距離を調整し、この画像観察用眼鏡を装着することができる。したがって、テンプルの締め付けによる頭部の痛みや、画像観察用眼鏡の位置ずれが抑制され、装着性の良好な画像観察用眼鏡が可能となる。
【０００９】
［適用例２］上記適用例に係る画像観察用眼鏡において、前記調整機構は、前記切替部を付勢する付勢部を備え、前記切替部は、前記付勢部の付勢力による前記規制状態と、前記付勢力に抗する力による前記被規制状態とが切り替え可能に構成されていることが好ましい。
【００１０】
この構成によれば、切替部を押圧することで切替部を被規制状態にしてテンプルを回転させ、切替部への押圧を解除することで、切替部を歯部に噛合させて規制状態にすることが可能となる。よって、簡単な操作で一対のテンプル間の距離を調整することが可能となる。
【００１１】
［適用例３］上記適用例に係る画像観察用眼鏡において、前記切替部は、外部から前記テンプルへの押圧力が所定の値以下の場合においては前記規制状態を維持し、前記押圧力を超える前記テンプルへの操作力により、前記規制状態から前記被規制状態への切り替えが可能な弾性を有していることが好ましい。
【００１２】
この構成によれば、切替部は、画像観察用眼鏡が装着者に装着された状態等のテンプルへの外部からの押圧力が所定の値以下の場合においては、規制状態を維持し、押圧力を超える操作力により規制状態から被規制状態への切り替えが可能な弾性を有している。これによって、部品点数の増加や構造の複雑化を抑制して一対のテンプル間の距離を調整する構成が可能となる。また、テンプルを操作することで、規制状態と被規制状態とを切り替えることができるので、規制状態と被規制状態とを切り替えるための操作部を画像観察用眼鏡の外面に設ける必要がなく、画像観察用眼鏡の外観デザインの向上が図れる。
【００１３】
［適用例４］上記適用例に係る画像観察用眼鏡において、前記調整機構は、前記テンプルを軸支し、前記枠部に連結される連結部を有し、前記切替部は、前記連結部に収納され、前記調整ギアは、前記テンプルに設けられていることが好ましい。
【００１４】
この構成によれば、調整機構は、切替部を収納する連結部を備えているので、画像観察部を保持する枠部を複雑な構造にすることなく調整機構を構成することが可能となる。
【００１５】
［適用例５］上記適用例に係る画像観察用眼鏡において、前記連結部は、前記枠部に対して回転自在に軸支されていることが好ましい。
【００１６】
この構成によれば、連結部は、枠部に回転自在に軸支されているので、調整機構を複雑な構成にすることなく、連結部に軸支されているテンプルと共に折り畳み自在に構成することが可能となる。よって、一対のテンプル間の距離を調整可能としつつ、収納する際や持ち運ぶ際の利便性向上が図られた画像観察用眼鏡の提供が可能となる。
【００１７】
［適用例６］上記適用例に係る画像観察用眼鏡において、前記切替部に噛合する前記歯部に対応して露出する標記部を備えていることが好ましい。
【００１８】
この構成によれば、画像観察用眼鏡は、切替部に噛合する歯部に対応して露出する標記部を備えているので、使用者は、標記部を目視することで、切替部と歯部との噛合状態、つまり一対のテンプル間の距離の状態を容易に知ることが可能となる。よって、使用者は、一対のテンプル間の距離を調整するか否か、および調整する際の調整の方向を容易に判断できるので、使い勝手の良好な画像観察用眼鏡の提供が可能となる。
【図面の簡単な説明】
【００１９】
【図１】第１実施形態の画像観察用眼鏡を模式的に示す外観図。
【図２】第１実施形態における調整機構近傍の画像観察用眼鏡を模式的に示す部分断面図。
【図３】第１実施形態における調整機構近傍の画像観察用眼鏡を模式的に示す部分断面図。
【図４】第２実施形態における調整機構近傍の画像観察用眼鏡を模式的に示す部分断面図。
【図５】変形例の切替部を説明するための模式図。
【発明を実施するための形態】
【００２０】
（第１実施形態）
以下、第１施形態に係る画像観察用眼鏡について、図面を参照して説明する。なお、以下では、説明の便宜上、画像観察用眼鏡１を装着した装着者から見て、前方を＋Ｙ方向（前方向）、右方向を＋Ｘ方向（右方向）、頭上側を＋Ｚ方向（上方向）として記載する。
【００２１】
図１は、本実施形態の画像観察用眼鏡１を模式的に示す外観図である。
画像観察用眼鏡１は、図１に示すように、本体部２、一対の調整機構３、および一対のテンプル４を備え、調整機構３が操作されることによって、一対のテンプル４間の距離を調整できるように構成されている。
【００２２】
本体部２は、画像観察部２１、および枠部２２を備えている。
画像観察部２１は、装着者にとって右眼の前方に位置する画像観察部２１Ｒ、左眼の前方に位置する画像観察部２１Ｌを備えている。画像観察部２１Ｒ，２１Ｌは、光学部材（例えば、液晶シャッターや偏光フィルター等）や、メカ的なシャッター機構等を有して構成されている。装着者は、プロジェクターから投写された画像やディスプレイに表示された画像等を、この画像観察部２１Ｒ，２１Ｌを通して観察することで、立体画像や複数の画像のうち選択した画像の１つを認識することができる。
【００２３】
枠部２２は、画像観察部２１Ｒ，２１Ｌを保持するように構成されている。枠部２２は、右側（＋Ｘ側）の端部２２Ｒおよび左側（−Ｘ側）の端部２２Ｌがそれぞれ後方（−Ｙ方向）に突出している。端部２２Ｒ，２２Ｌは、左右対称に形成されている。
【００２４】
調整機構３は、端部２２Ｒ，２２Ｌにそれぞれ軸支される調整機構３Ｒ，３Ｌを有し、左右対称に形成されている。調整機構３Ｒ，３Ｌは、切替え機構６（図２参照）を備え、この切替え機構６が操作されることで、テンプル４間の距離が調整される。調整機構３については、後で詳細に説明する。
【００２５】
テンプル４は、調整機構３Ｒ，３Ｌにそれぞれ軸支されるテンプル４Ｒ，４Ｌを有し、左右対称に形成されている。画像観察用眼鏡１が装着者に装着されると、テンプル４Ｒは、装着者の側頭部の右側に沿い、テンプル４Ｌは、装着者の側頭部の左側に沿うように配置される。そして、調整機構３が操作されると、テンプル４Ｒ，４Ｌ間の距離（以下、「テンプル間距離」という）が調整される。
【００２６】
ここで、調整機構３近傍の画像観察用眼鏡１の構造について、詳細に説明する。前述したように、調整機構３Ｒ，３Ｌは、左右対称に形成されている。ここでは、調整機構３Ｒに注目して説明する。
【００２７】
図２は、調整機構３Ｒ近傍の画像観察用眼鏡１を模式的に示す部分断面図であり、（ａ）は、上方から見た図、（ｂ）は、左方（−Ｘ方向）から見た図である。
枠部２２の端部２２Ｒには、図２（ａ）に示すように、−Ｘ側の角部に凹部２２１が形成されている。凹部２２１は、上下方向における中央部が窪むように形成され、上下の内面には、支持ピンＰ１の両端が挿入される穴（図示省略）が形成されている。
【００２８】
調整機構３Ｒは、図２に示すように、端部２２Ｒに軸支される連結部５、連結部５に収納される切替え機構６、およびテンプル４Ｒの先端に形成された調整ギア７を備えている。
【００２９】
連結部５は、図２（ａ）に示すように、端部２２Ｒに倣う形状を有して形成され、凹部２２１に挿入可能な凸部５１、および切替え機構６を収納する収納部５２を有している。詳細な説明は省略するが、連結部５は、複数の部材で構成され、この複数の部材が組み合わされることで、収納部５２が形成される。
【００３０】
凸部５１の中央部には、上下方向に貫通し、支持ピンＰ１が挿通される孔が形成されている。連結部５は、この凸部５１の孔に支持ピンＰ１が挿通され、凸部５１から突出する支持ピンＰ１の両端が凹部２２１の穴に挿入されて端部２２Ｒに回転自在に軸支される。
【００３１】
収納部５２は、図２に示すように、連結部５の−Ｙ側の端面に開口部を有して形成され、前側（＋Ｙ側）の内面（ガイド面５２Ａ）は、上下方向に沿うように形成されている。収納部５２の上側の壁部には、図２（ｂ）に示すように、挿通孔５２Ｈが設けられ、挿通孔５２Ｈの前後には、上側の壁部から突出する突出部５２１が設けられている。
【００３２】
また、収納部５２には、図２（ａ）に示すように、ガイド面５２Ａとで後述する切替部６１の左右方向および前後方向の移動を規制し、切替部６１の上下方向の移動を案内する案内部５２２が設けられている。さらに、収納部５２には、図２（ｂ）に示すように、上下の内面に支持ピンＰ２の両端が挿入されるガイド穴５２Ｇが形成されている。
【００３３】
テンプル４Ｒの先端部４１は、図２（ａ）に示すように、左右方向における中央部に設けられた平面視半円形状の接続部４１１を有している。そして、この接続部４１１には、支持ピンＰ２が挿通される。テンプル４Ｒは、接続部４１１の上下から飛び出す支持ピンＰ２の両端がガイド穴５２Ｇに挿入されて連結部５に軸支される。
【００３４】
また、先端部４１には、標記部としてのマーク「Ｗ」（Ｗｉｄｅの頭文字）、「Ｎ」（Ｎａｒｒｏｗの頭文字）が標記されている。具体的に、マーク「Ｗ」は、接続部４１１の−Ｘ側に設けられ、マーク「Ｎ」は、接続部４１１の＋Ｘ端部側に設けられている。
【００３５】
調整ギア７は、接続部４１１の前側（＋Ｙ側）に設けられており、支持ピンＰ２の中心軸周り、つまり、テンプル４Ｒの回転中心周りに沿って形成された歯部７１を有している。本実施形態では、歯部７１は、図２（ａ）の図面視における時計回りに沿って形成された４つの歯部７１ａ，７１ｂ，７１ｃ，７１ｄを有している。そして、接続部４１１および調整ギア７は、収納部５２内に配置される。
【００３６】
切替え機構６は、図２に示すように、切替部６１、および付勢部としてのコイルバネ６２を備えている。
切替部６１は、ベース部６１１、操作部６１２および係合部６１３を有している。
ベース部６１１は略直方体に形成され、図２（ａ）に示すように、ガイド面５２Ａと案内部５２２との間に配置される。
【００３７】
操作部６１２は、ベース部６１１の上側の面から突出して形成されており、図２（ｂ）に示すように、挿通孔５２Ｈに挿通され、連結部５の上面より外部に突出している。
係合部６１３は、ベース部６１１の−Ｙ側の面から突出して形成されており、先端部は、調整ギア７の歯部７１と噛合可能に形成されている。
【００３８】
コイルバネ６２は、図２（ｂ）に示すように、ベース部６１１の下方に配置され、切替部６１を上方に付勢する。なお、コイルバネ６２に替えて板バネ等を付勢部として構成してもよい。
【００３９】
切替部６１は、左右方向（±Ｘ方向）および前後方向（±Ｙ方向）にガタがなく収納部５２に収納される。また、切替部６１は、コイルバネ６２に付勢され、ベース部６１１の上側の面が突出部５２１に当接してそれ以上の上方への移動が規制される。切替部６１は、突出部５２１に当接する状態で係合部６１３が歯部７１に噛合可能となり、操作部６１２がコイルバネ６２の付勢力を超えた力で下方に押圧されると、下方に移動して係合部６１３と歯部７１との噛合が解除された状態となる。
【００４０】
テンプル４Ｒは、係合部６１３が歯部７１に噛合された状態において、連結部５に対する回転が規制された規制状態となり、係合部６１３と歯部７１との噛合が解除された被規制状態において、連結部５に対する回転が可能となる。このように、切替部６１は、歯部７１に噛合してテンプル４の回転を規制する規制状態、および規制状態が解除された被規制状態が切り替え可能に構成されている。また、切替部６１は、コイルバネ６２の付勢力による規制状態と、コイルバネ６２に抗する力による被規制状態とが切り替えられる。
【００４１】
左右のテンプル４Ｒ，４Ｌは、規制状態において、連結部５と共に枠部２２に対して回転可能となり、枠部２２に対して折り畳み自在に構成されることとなる。そして、左右のテンプル４Ｒ，４Ｌは、操作部６１２が押圧されることで、連結部５に対する回転が可能となり、テンプル間距離が調整される。
【００４２】
ここで、テンプル間距離の調整方法について説明する。
テンプル４Ｒ，４Ｌは、規制状態において、折り畳まれた状態から後端が広げられると、連結部５と共に支持ピンＰ１の中心軸を中心に回転する。そして、テンプル４Ｒ，４Ｌが所定の位置まで回転されると、連結部５の端面が端部２２Ｒ，２２Ｌの端面に当接して回転が規制された状態（以下、オープン状態という）となり、画像観察用眼鏡１は、このオープン状態で使用者に装着される。
【００４３】
テンプル４Ｒ，４Ｌは、前述したように、操作部６１２が押圧されることで、連結部５に対する回転が可能となる。そして、テンプル４Ｒ，４Ｌは、歯部７１ａ，７１ｂ，７１ｃ，７１ｄのうちのいずれかに、係合部６１３が噛合されることで、テンプル間距離が調整される。
【００４４】
具体的に、テンプル間距離の調整方法について、調整機構３Ｒに注目して説明する。図３（ａ）〜（ｃ）は、調整機構３Ｒ近傍の画像観察用眼鏡１を模式的に示す部分断面図であり、係合部６１３が歯部７１ａ，７１ｂ，７１ｃ，７１ｄのうち、異なる歯部７１に噛合した状態を上方から見た図である。
【００４５】
図３（ａ）に示すように、テンプル４Ｒは、歯部７１ｂと歯部７１ｃとの間に係合部６１３が噛合されると、枠部２２に対する回転角が調整可能な範囲内の略中間に位置する中間状態となる。そして、テンプル４Ｒ，４Ｌの双方が中間状態とされた場合には、図１に示すように、テンプル間距離は、調整可能な範囲における略中間の距離Ｌｃを有することとなる。
【００４６】
また、中間状態においては、図３（ａ）に示すように、先端部４１に標記されたマーク「Ｎ」、「Ｗ」は、連結部５で隠蔽された状態となる。
【００４７】
テンプル４Ｒは、中間状態から操作部６１２が押圧されて被規制状態になると、図３における時計回りおよび反時計回りの回転が可能となる。そして、操作部６１２の押圧が解除されることによって、係合部６１３が歯部７１ｂと歯部７１ｃとの間以外の歯部７１との噛合が可能となり、テンプル間距離が調整される。
【００４８】
具体的に、テンプル４Ｒは、中間状態から時計回りに回転され、図３（ｂ）に示すように、歯部７１ａと歯部７１ｂとの間に係合部６１３が噛合するように回転されると、枠部２２に対する回転角が中間状態より小さな幅狭状態となる。そして、テンプル４Ｒ，４Ｌの双方が幅狭状態とされた場合には、図１に示すように、テンプル間距離は、距離Ｌｃより小さな距離Ｌｎを有することとなる。
【００４９】
また、幅狭状態においては、図３（ｂ）に示すように、先端部４１に標記されたマーク「Ｎ」が露出し、マーク「Ｗ」が連結部５で隠蔽された状態となり、テンプル間距離が最も小さいことが外部から認識できる。
【００５０】
一方、テンプル４Ｒは、中間状態から反時計回りに回転され、図３（ｃ）に示すように、歯部７１ｃと歯部７１ｄとの間に係合部６１３が噛合するように回転されると、枠部２２に対する回転角が中間状態より大きな幅広状態となる。そして、テンプル４Ｒ，４Ｌの双方が幅広状態とされた場合には、図１に示すように、テンプル間距離は、距離Ｌｃより大きな距離Ｌｗを有することとなる。
【００５１】
また、幅広状態においては、図３（ｃ）に示すように、先端部４１に標記されたマーク「Ｗ」が露出し、マーク「Ｎ」が連結部５で隠蔽された状態となり、テンプル間距離が最も大きなことが外部から認識できる。
【００５２】
このように、画像観察用眼鏡１は、操作部６１２が押圧されることで連結部５に対してテンプル４Ｒ，４Ｌが回転可能となり、歯部７１ａ，７１ｂ，７１ｃ，７１ｄのうちのいずれかに、係合部６１３が噛合することで、テンプル間距離が調整される。そして、画像観察用眼鏡１は、切替部６１に噛合する歯部７１ａ，７１ｂ，７１ｃ，７１ｄに対応して、つまりテンプル間距離に対応してマーク「Ｎ」、「Ｗ」の露出や隠蔽がなされる。
【００５３】
以上説明したように、本実施形態の画像観察用眼鏡１によれば、以下の効果を得ることができる。
（１）使用者の頭部サイズに対応して一対のテンプル４間の距離を調整できるので、テンプル４の締め付けによる頭部の痛みや、画像観察用眼鏡１の位置ずれが抑制され、装着性の良好な画像観察用眼鏡１が可能となる。
【００５４】
（２）操作部６１２を押圧し、テンプル４Ｒ，４Ｌを回転させるという簡単な操作で、テンプル間距離を変更することができるので、使用者は、自分の頭部に合わせて容易にテンプル間距離を調整することが可能となる。また、オープン状態においてもテンプル間距離を調整することができるので、テンプルを閉じる方向に回転させた後、テンプル間距離を調整する構成に比べ、使用者は、煩わしさを感じることなくテンプル間距離を調整することが可能となる。
【００５５】
（３）調整機構３は、切替部６１を収納する連結部５を備えているので、画像観察部２１を保持する枠部２２を複雑な構造にすることなく調整機構３を構成することが可能となる。
【００５６】
（４）連結部５は、枠部２２に回転自在に軸支されているので、調整機構３を複雑な構成にすることなく、連結部５に軸支されているテンプル４と共に折り畳み自在に構成することが可能となる。よって、一対のテンプル４間の距離を調整可能としつつ、収納する際や持ち運ぶ際の利便性向上が図られた画像観察用眼鏡１の提供が可能となる。
【００５７】
（５）画像観察用眼鏡１は、標記部としてのマーク「Ｗ」、「Ｎ」を備えているので、使用者は、標記部を目視することで、切替部６１と歯部７１との噛合状態、つまり一対のテンプル４間の距離の状態を容易に知ることが可能となる。よって、使用者は、一対のテンプル４間の距離を調整するか否か、および調整する際の調整の方向を容易に判断できるので、使い勝手の良好な画像観察用眼鏡１の提供が可能となる。また、左右のテンプル４Ｒ，４Ｌをバランスよく調整できるので、テンプル間距離を調整した際にも、さらに良好な装着性が可能となる。
【００５８】
（６）異なるサイズの枠部２２を複数用意すること無く、異なるサイズの頭部に対応できるので、画像観察用眼鏡１の製造コストの低減や、在庫管理の簡素化が図れる。
【００５９】
（第２実施形態）
次に、第２実施形態に係る画像観察用眼鏡１０について、図面を参照して説明する。以下の説明では、第１実施形態の画像観察用眼鏡１と同様の構造および同様の部材には、同一符号を付し、その詳細な説明は省略または簡略化する。
【００６０】
本実施形態の画像観察用眼鏡１０は、第１実施形態の調整機構３と構成の異なる調整機構１３を備えている。
本実施形態の調整機構１３は、第１実施形態の調整機構３と同様に、端部２２Ｒ，２２Ｌにそれぞれ軸支され、左右対称に形成されている。ここでは、端部２２Ｒに軸支される調整機構１３Ｒに注目して説明する。
【００６１】
図４は、調整機構１３Ｒ近傍の画像観察用眼鏡１０を模式的に示す部分断面図であり、上方から見た図である。
調整機構１３Ｒは、図４に示すように、端部２２Ｒに軸支される連結部１５、連結部１５に収納される切替部１６、およびテンプル４Ｒの先端に形成され、第１実施形態と同様に形成された調整ギア７を備えている。
【００６２】
連結部１５は、図４に示すように、第１実施形態の連結部５と同様の外形形状、および凸部５１を有し、凸部５１の孔に挿通された支持ピンＰ１の両端が凹部２２１の穴に挿入されて端部２２Ｒに軸支される。
【００６３】
連結部１５は、第１実施形態の連結部５の収納部５２と形状の異なる収納部１５２を有している。
収納部１５２には、第１実施形態の収納部５２と同様に、支持ピンＰ２によってテンプル４Ｒが軸支され、この収納部１５２内には、接続部４１１および調整ギア７が配置される。そして、収納部１５２は、切替部１６の後述するベース部１６１を固定するように形成されている。
【００６４】
切替部１６は、熱可塑性エラストマー等の弾性を有する部材で形成され、図４に示すように、ベース部１６１および係合部１６２を有している。
ベース部１６１は、図４に示すように、直方体状に形成され、収納部１５２内の＋Ｙ側の壁部に固定されている。
【００６５】
係合部１６２は、ベース部１６１の−Ｙ側の面から突出して形成されており、先端部は、調整ギア７の歯部７１と噛合可能に形成されている。そして、係合部１６２は、画像観察用眼鏡１０が装着者に装着された状態等のテンプル４Ｒへの外部からの押圧力が所定の値以下の場合には、規制状態を維持するように形成されている。
【００６６】
そして、切替部１６は、テンプル４Ｒに所定以上の操作力が加えられると、係合部１６２が倒れるように変形して、規制状態から被規制状態に切り替えられる。
具体的に、テンプル４Ｒに、図４における時計回りＣＷ方向の操作力が加えられると、係合部１６２は、＋Ｘ方向に倒れ、噛合されていた歯部７１の−Ｘ側の歯部７１との噛合が可能となる。つまり、テンプル４Ｒに時計回りＣＷ方向の操作力が加えられると、テンプル間距離を狭くする方向の調整が可能となる。
【００６７】
一方、テンプル４Ｒに、図４における反時計回りＣＣＷ方向の操作力が加えられると、係合部１６２は、−Ｘ方向に倒れ、噛合されていた歯部７１の＋Ｘ側の歯部７１との噛合が可能となる。つまり、テンプル４Ｒに反時計回りＣＣＷ方向の操作力が加えられると、テンプル間距離を広くする方向の調整が可能となる。
【００６８】
このように、切替部１６は、画像観察用眼鏡１０が装着者に装着された状態等のテンプル４Ｒへの外部からの押圧力が所定の値以下の場合には、規制状態を維持し、その押圧力を超えるテンプル４Ｒへの操作力により、規制状態から被規制状態への切り替えが可能な弾性を有して形成されている。なお、切替部１６は、熱可塑性エラストマーに限らず他の弾性を有する部材で形成してもよい。
【００６９】
以上説明したように、本実施形態の画像観察用眼鏡１０によれば、第１実施形態の効果（１）、（３）〜（６）に加え、以下の効果を得ることができる。
（１）切替部１６は、画像観察用眼鏡１０が装着者に装着された状態等のテンプル４Ｒへの外部からの押圧力が所定の値以下の場合においては、規制状態を維持し、押圧力を超える操作力により規制状態から被規制状態への切り替えが可能な弾性を有している。これによって、部品点数の増加や構造の複雑化を抑制して一対のテンプル４間の距離を調整する構成が可能となる。
【００７０】
（２）テンプル４を操作することで、規制状態と被規制状態とを切り替えることができるので、規制状態と被規制状態とを切り替えるための操作部を画像観察用眼鏡１０の外面に設ける必要がなく、画像観察用眼鏡１０の外観デザインの向上が図れる。
【００７１】
（変形例）
なお、前記実施形態は、以下のように変更してもよい。
前記第１実施形態の調整機構３は、切替部６１が上下方向に移動されることによって、規制状態と被規制状態とが切り替えられるように構成されているが、切替部６１が前後方向に移動されることによって、規制状態と被規制状態とが切り替えられるように構成してもよい。また、付勢部としてねじりコイルバネを用い、切替部６１を回転させることによって、規制状態と被規制状態とが切り替えられるように構成してもよい。
【００７２】
前記実施形態の画像観察用眼鏡１，１０は、切替部６１，１６，１７が連結部５，１５に収納され、調整ギア７がテンプル４に形成されているが、切替部６１，１６，１７をテンプル４に配置し、調整ギア７を連結部５，１５に設けるように構成してもよい。
【００７３】
連結部５，１５と枠部２２とを一体的に構成し、テンプル４を支持ピンＰ２を中心に折り畳み自在となるように構成してもよい。
【００７４】
前記第２実施形態では、係合部１６２が倒れるように変形することによって、規制状態と被規制状態とが切り替えられるように形成されているが、他の態様の変形で規制状態と被規制状態とが切り替えられるように形成してもよい。
例えば、切替部が捻られように変形することによって、規制状態と被規制状態とが切り替えられるように構成してもよい。図５は、変形例の切替部１７を説明するための模式図である。図５に示すように、切替部１７は、円柱形状のベース部１７１、およびベース部１７１から突出し、歯部７１と噛合可能な係合部１７２を有している。そして、切替部１７は、テンプル４に所定以上の操作力が加えられると、ベース部１７１が捻られように変形し、規制状態と被規制状態とが切り替えられる。
【００７５】
前記実施形態では、歯部７１は、４つの歯部７１ａ，７１ｂ，７１ｃ，７１ｄで構成されているが、４つ以外で構成してもよい。
【符号の説明】
【００７６】
１，１０…画像観察用眼鏡、２…本体部、３，３Ｌ，３Ｒ，１３，１３Ｒ…調整機構、４，４Ｌ，４Ｒ…テンプル、５，１５…連結部、６…切替え機構、７…調整ギア、１６，１７，６１…切替部、２１，２１Ｌ，２１Ｒ…画像観察部、２２…枠部、２２Ｌ，２２Ｒ…端部、６２…コイルバネ、７１，７１ａ，７１ｂ，７１ｃ，７１ｄ…歯部、１６２，１７２，６１３…係合部、６１２…操作部。
【図１】
2012252295.tif 000003
【図２】
2012252295.tif 000004
【図３】
2012252295.tif 000005
【図４】
2012252295.tif 000006
【図５】
2012252295.tif 000007